(57)【要約】システム構成の変化にも柔軟に対応でき、拡張性および操作性を向上させ、かつ、ネットワーク資源の有効活用を達成できるＷＤＭ伝送装置を提供する。ＷＤＭポート１０２およびスタッキングポート１０３を有するアップリンクモジュール１０１を有し、アップリンクモジュール１０１を通過した信号光はスタッキングポート１０３を通して後段のＷＤＭ伝送装置へ出射し、後段からの信号光はスタッキングポート１０３を通して受け取られる。ＷＤＭ伝送装置の内部状態は管理モジュール１０４によりリモート監視される。さらに、リンクテスト信号をＷＤＭポート１０２から送信するためのリンクテストボタン１１５が設けられる。
2005036784.tif 000002
【特許請求の範囲】
【請求項１】
複数のローカルポートと少なくとも１個のリモートポートとを有する波長多重分離伝送装置において、
前記リモートポートに光学的に接続し、所定波長光の合波および分波を行い、その他の波長の信号光を通過させる光合分波手段と、
前記光合分波手段と光学的に接続し、前記光合分波手段を通過した信号光を外部へ出射し、外部から信号光を受け取るためのスタッキングポートと、
を有することを特徴とする波長多重分離伝送装置。
【請求項２】
前記波長多重分離伝送装置の内部状態をリモート監視するための監視手段をさらに有することを特徴とする請求項１に記載の波長多重分離伝送装置。
【請求項３】
リンクテスト信号を前記リモートポートから送信するリンクテスト手段と、
前記リンクテスト手段を起動するためのリンクテストボタンと、
をさらに有することを特徴とする請求項１に記載の波長多重分離伝送装置。
【請求項４】
前記リモートポート、前記光合分波手段、および、前記スタッキングポートは、前記波長多重分離伝送装置に着脱可能に取り付けられるモジュールに設けられたことを特徴とする請求項１に記載の波長多重分離伝送装置。
【請求項５】
前記監視手段は、前記波長多重分離伝送装置に着脱可能に取り付けられるモジュールに設けられたことを特徴とする請求項２に記載の波長多重分離伝送装置。
【請求項６】
少なくとも第１波長多重分離伝送装置と第２波長多重分離伝送装置とを含むシステムにおいて、
前記第１波長多重分離伝送装置は、
複数の第１ローカルポートと、
第１リモートポートと、
前記第１リモートポートに光学的に接続し、第１波長群の光の合波および分波を行い、前記第１波長群以外の第２波長群の光を通過させる第１光合分波手段と、
前記第１光合分波手段と光学的に接続し、前記第１光合分波手段を通過した信号光を外部へ出射し、外部から信号光を受け取るための第１スタッキングポートと、
を有し、
前記第２波長多重分離伝送装置は、
複数の第２ローカルポートと、
第２リモートポートと、
前記第２リモートポートに光学的に接続し、前記第２波長群の光の合波および分波を行う第２光合分波手段と、
を有し、
前記第１波長多重分離伝送装置の前記第１スタッキングポートと前記第２波長多重分離伝送装置の前記第２リモートポートとを光ケーブルにより光学的に接続したことを特徴とする波長多重分離伝送装置システム。
【請求項７】
前記第１波長多重分離伝送装置および第２波長多重分離伝送装置の各々の内部状態をリモート監視するための第１監視手段をさらに有することを特徴とする請求項６に記載の波長多重分離伝送装置システム。
【請求項８】
さらに、第３波長多重分離伝送装置と第４波長多重分離伝送装置とを有し、
前記第３波長多重分離伝送装置は、
複数の第３ローカルポートと、
第３リモートポートと、
前記第３リモートポートに光学的に接続し、第３波長群の光の合波および分波を行い、前記第３波長群以外の第４波長群の光を通過させる第３光合分波手段と、
前記第３光合分波手段と光学的に接続し、前記第３光合分波手段を通過した信号光を外部へ出射し、外部から信号光を受け取るための第２スタッキングポートと、
を有し、
前記第４波長多重分離伝送装置は、
複数の第４ローカルポートと、
第４リモートポートと、
前記第４リモートポートに光学的に接続し、前記第４波長群の光の合波および分波を行う第４光合分波手段と、
を有し、
前記第３波長多重分離伝送装置の前記第２スタッキングポートと前記第４波長多重分離伝送装置の前記第４リモートポートとを光ケーブルにより光学的に接続し、
前記第３波長多重分離伝送装置および第４波長多重分離伝送装置の各々の内部状態をリモート監視するための第２監視手段をさらに有し、前記第１監視手段と接続されたことを特徴とする請求項６に記載の波長多重分離伝送装置システム。
【発明の詳細な説明】
【技術分野】  本発明は複数チャネルを波長多重化することで長距離かつ高速伝送を可能にする波長分割多重（以下、ＷＤＭという。）伝送装置に係り、特に複数のローカルポートと少なくとも１つのリモートポートとを有するＷＤＭ伝送装置およびそれを用いたＷＤＭ伝送装置システムに関する。
【背景技術】    近年、複数のギガビットイーサネット（イーサネットは登録商標、以下同じ。）をシングルモード光ファイバに波長多重して長距離伝送を可能にするＷＤＭ伝送装置が種々提供されている。現在市販されているものでは、たとえば、８本のギガビットイーサネットを接続して最大２０Ｇｂｐｓ／２芯（Ｆｕｌｌ  Ｄｕｐｌｅｘ）の伝送が可能なＷＤＭ伝送装置がある。このようなＷＤＭ伝送装置は、広域ＬＡＮ（ｌｏｃａｌ−ａｒｅａ  ｎｅｔｗｏｒｋ）やＦＴＴＨ（ｆｉｂｅｒ−ｔｏ−ｔｈｅ−ｈｏｍｅ）など、これからのブロードバンドネットワークを構築する上で必要不可欠な通信機器である。
特開平１１−０９５０６０号公報（以下、特許文献１という。）には、光分割多重伝送装置の一例としてカスケード型光多重装置が開示されている。この従来例によるＷＤＭ伝送装置では、波長分離および多重が可能な光学ブロックをカスケード接続することで、すべてのチャネルの分離および多重化を行う。たとえば、８チャネル波長多重光がリモートポートに入力すると、１つの光学ブロックにより８チャネル波長多重光のうちチャネル１〜４が順次分離され、残りのチャネル５〜８はカスケード接続された別の光学ブロックにおいて同様に分離される。逆に、８チャネルの光信号はこれら光学ブロックを通して順次多重化され、波長多重光としてリモートポートから送出される（段落００２４〜２７、図１、図８、図９）。
しかしながら、従来のＷＤＭ伝送装置は、１つの装置ハウジングに４チャネルあるいは８チャネルを収容する。このために、同数のＬＡＮを接続するのであれば資源を有効に利用することができるのであるが、ＬＡＮの規模や設置場所あるいは社内事情等によって１〜２個のＬＡＮだけが接続される場合には資源を有効に活用することができない。
すなわち、接続されないローカルポートが存在すると、ＷＤＭの高速大容量伝送という特性を十分に活用できなくなる。逆に、当初は４チャネルＷＤＭ伝送装置で十分と考えていたのに、状況が変化して６チャネル必要となった場合には、この例では８チャネルＷＤＭ伝送装置を新たに購入して置き換える必要がある。このような伝送装置の置き換えを必要とすることは、ＷＤＭ伝送システムとしての柔軟性を損ない、コストが高くなるだけでなく、８チャネルのうち２チャネルが使用されないために資源の無駄も生じてしまう。特許文献１に記載されたＷＤＭ伝送装置においても、１つのハウジング内で光学ブロックをカスケード接続しチャネルの分離及び多重を行うことが想定されており同様の問題が生じる。
そこで、本発明の目的は、システム構成の変化にも柔軟に対応でき、拡張性および操作性を向上させ、かつ、ネットワーク資源の有効活用を達成できるＷＤＭ伝送装置およびそれを用いたＷＤＭ伝送装置システムを提供することにある。
【発明の開示】
本発明の第１の側面によれば、波長多重分離伝送装置は、リモートポートに光学的に接続し所定波長光の合波および分波を行うとともに他の波長の信号光を通過させる光合分波手段と、前記光合分波手段と光学的に接続し前記光合分波手段を通過した信号光を外部へ出射するとともに外部から信号光を受け取るためのスタッキングポートと、を有することを特徴とする。
望ましくは、前記波長多重分離伝送装置の内部状態をリモート監視するための監視手段をさらに有する。
さらに、本発明によれば、リンクテスト信号を前記リモートポートから送信するリンクテスト手段と、前記リンクテスト手段を起動するためのリンクテストボタンと、をさらに有することを特徴とする。
本発明の第２の側面によれば、少なくとも第１波長多重分離伝送装置と第２波長多重分離伝送装置とを含むシステムにおいて、前記第１波長多重分離伝送装置は、複数の第１ローカルポートと、第１リモートポートと、前記第１リモートポートに光学的に接続し、第１波長群の光の合波および分波を行い、前記第１波長群以外の第２波長群の光を通過させる第１光合分波手段と、前記第１光合分波手段と光学的に接続し、前記第１光合分波手段を通過した信号光を外部へ出射し、外部から信号光を受け取るための第１スタッキングポートと、を有し、前記第２波長多重分離伝送装置は、複数の第２ローカルポートと、第２リモートポートと、前記第２リモートポートに光学的に接続し、前記第２波長群の光の合波および分波を行う第２光合分波手段と、を有し、前記第１波長多重分離伝送装置の前記第１スタッキングポートと前記第２波長多重分離伝送装置の前記第２リモートポートとを光ケーブルにより光学的に接続したことを特徴とする。
同様に、第３波長多重分離伝送装置と第４波長多重分離伝送装置とを有し、前記第３波長多重分離伝送装置は、複数の第３ローカルポートと、第３リモートポートと、前記第３リモートポートに光学的に接続し、第３波長群の光の合波および分波を行い、前記第３波長群以外の第４波長群の光を通過させる第３光合分波手段と、前記第３光合分波手段と光学的に接続し、前記第３光合分波手段を通過した信号光を外部へ出射し、外部から信号光を受け取るための第２スタッキングポートと、を有し、前記第４波長多重分離伝送装置は、複数の第４ローカルポートと、第４リモートポートと、前記第４リモートポートに光学的に接続し、前記第４波長群の光の合波および分波を行う第４光合分波手段と、を有し、前記第３波長多重分離伝送装置の前記第２スタッキングポートと前記第４波長多重分離伝送装置の前記第４リモートポートとを光ケーブルにより光学的に接続し、さらに、前記第１〜第４波長多重分離伝送装置の各々の内部状態をリモート監視するための監視手段を有することを特徴とする。
上述したように、本発明によれば、リモートポートの他に、リモートポートと光学的に接続したスタッキングポートを設けたことで、別のＷＤＭ伝送装置をカスケード接続することができ、ローカルポート収容数を容易に拡張することができる。さらに、リモートポートとスタッキングポートとをそれぞれ別個のＷＤＭ伝送装置に接続することも可能となり、システム構成の拡張性および柔軟性を大幅に向上させることができる。
【図面の簡単な説明】  図１は、本発明の一実施形態によるカスケード接続されたＷＤＭ伝送装置システムの斜視図である。
図２は、図１に示すＷＤＭ伝送装置システムの内部回路を示す概略的ブロック構成図である。
図３は、本実施形態によるＷＤＭ伝送装置を用いた他の接続形態を示す図である。
図４Ａは、本実施形態によるＷＤＭ伝送装置を用いたシステムを施工した時のループバックテスト動作を説明するための模式的システム構成図である。
図４ＢはＳＮＭＰマネージャからのループバックテスト動作を説明するための模式的システム構成図である。
図５Ａは、ローカルポート側が切断した場合のミッシングリンク機能を説明するためのＷＤＭ伝送システムの構成図である。
図５Ｂは、リモートポート側が切断した場合のミッシングリンク機能を説明するためのＷＤＭ伝送システムの構成図である。
図６は、本発明によるＷＤＭ伝送装置を用いたＷＤＭ伝送ネットワークの一例を示すネットワーク構成図である。
図７は、本発明によるＷＤＭ伝送装置を用いたＷＤＭ伝送ネットワークの他の例を示すネットワーク構成図である。
【発明を実施するための最良の形態】図１において、本発明の一実施形態によるＷＤＭ伝送装置１は、別のＷＤＭ伝送装置２をカスケード接続して１つのＷＤＭ伝送装置として機能させることができる。ＷＤＭ伝送装置１および第２ＷＤＭ伝送装置２のいずれもモジュール構成を有し、後述するように、アップリンクモジュール１０１またはアップリンクモジュール２０１、管理モジュール１０４または管理モジュール２０３をそれぞれ選択的に取り付けることができる。ここでは、ＷＤＭ伝送装置１にアップリンクモジュール１０１および管理モジュール１０４が取り付けられ、ＷＤＭ伝送装置２にアップリンクモジュール２０１および管理モジュール２０３が取り付けられているものとする。
ＷＤＭ伝送装置１において、アップリンクモジュール１０１はリモートポート（ＲＰ）であるＷＤＭポート１０２とカスケード接続用のスタッキングポート（ＳＰ）１０３とを有する。管理モジュール１０４はＳＮＭＰ（Ｓｉｍｐｌｅ  Ｎｅｔｗｏｒｋ  Ｍａｎａｇｅｍｅｎｔ  Ｐｒｏｔｏｃｏｌ）管理用モジュールであり、ＳＮＭＰ接続ポート１０５、ＳＮＭＰ用スタッキングポート１０６および１０９を有する。ＳＮＭＰ接続ポート１０５は、たとえばイーサネット等のネットワークを介してＳＮＭＰマネージャに接続され、ＷＤＭ伝送装置１のリンク状態や電源状態などをリモートで監視することができる。さらに、ＷＤＭ伝送装置１は２個のローカルポート１０７および１０８を有し、ここではいずれもＧＢＩＣ（Ｇｉｇａｂｉｔ  Ｉｎｔｅｒｆａｃｅ  Ｃｏｎｖｅｒｔｅｒ）に対応した光送受信器モジュールからなる。
ＷＤＭ伝送装置２において、アップリンクモジュール２０１はリモートポート（ＲＰ）であるＷＤＭポート２０２を有する。管理モジュール２０３はＳＮＭＰ管理用モジュールであり、ＳＮＭＰ接続ポート２０４およびスタッキングポート２０５を有する。さらに、ＷＤＭ伝送装置２においても２個のローカルポート２０６および２０７が設けられ、いずれもＧＢＩＣに対応した光送受信器モジュールからなる。
本実施形態によれば、ＷＤＭ伝送装置１のＷＤＭポート１０２はシングルモード光ファイバケーブル３０１に接続され、スタッキングポート１０３はＷＤＭ伝送装置２のＷＤＭポート２０２に光ファイバケーブル３０２を通して接続されている。さらに、管理モジュール１０４のＳＮＭＰ用スタッキングポート１０６はＷＤＭ伝送装置２のＳＮＭＰ接続ポート２０４に光ファイバケーブル３０３を通して接続されている。
このようにカスケード接続することで、アップリンクモジュール１０１およびアップリンクモジュール２０１は１つのアップリンクモジュールとして機能し、管理モジュール１０４および管理モジュール２０３もＷＤＭ伝送装置１および２を管理する１つの管理モジュールとして機能する。したがって、２個のＧＢＩＣポートを収容するＷＤＭ伝送装置１に同じく２個のＧＢＩＣポートを収容するＷＤＭ伝送装置２をカスケード接続するだけで、４個のＧＢＩＣポートを収容するＷＤＭ伝送装置にアップグレードすることができる。
なお、図１には示されていないが、ＷＤＭ伝送装置１および２には、ループバックテストを起動するためのリンクテストボタンがそれぞれ設けられている。
図２は、図１に示すＷＤＭ伝送装置システムの内部回路を示す概略的ブロック構成図である。なお、図１において説明したコンポーネントには同一参照番号を付している。
図２において、ＷＤＭ伝送装置１のアップリンクモジュール１０１は合分波器１１０および１１１を有する。合分波器１１０は、ＷＤＭポート１０２を通して受信した波長多重光から特定波長（λＲ１１）の光信号を分離するとともに他の波長光を反射し、また特定波長（λＴ１１）の送信光を多重化してＷＤＭポート１０２へ送出する。同様に、合分波器１１１では、合分波器１１０を通過した波長多重光から特定波長（λＲ１２）の光信号を分離するとともに他の波長光を反射し、また特定波長（λＴ１２）の送信光を多重化してＷＤＭポート１０２へ送出する。合分波器１１０および１１１を通過した波長多重光は、スタッキングポート１０３および光ケーブル３０２を通して他のＷＤＭ伝送装置２へ送られる。
合分波器１１０で分離された受信光は物理層デバイス１１２を通してローカルポート１０７へ転送される。ギガビットＬＡＮからローカルポート１０７で受信した送信光は物理層デバイス１１２を通して合分波器１１０により多重化され、ＷＤＭポート１０２から送信される。同様に、合分波器１１１で分離された受信光は物理層デバイス１１２を通してローカルポート１０８へ転送される。ローカルポート１０８で受信した送信光は物理層デバイス１１３を通して合分波器１１１により多重化され、ＷＤＭポート１０２から送信される。
さらに、ＷＤＭ伝送装置１には、制御部１１４、リンクテストボタン１１５およびインジケータであるＬＥＤ（発光ダイオード）１１６が設けられ、制御部１１４は物理層デバイス１１２および１１３を制御するとともに、管理モジュール１０４からの指示に応じて必要な情報（リンク状態、電源状態など）の収集を行い管理モジュール１０４へ返す。後述するように、リンクテストボタン１１５は、ＷＤＭ通信システムを施工したときにリンクテストを行うために設けられている。
ＷＤＭ伝送装置２のアップリンクモジュール２０１は、送受信波長が異なりスタッキングポート１０３が設けられていない点を除いて、アップリンクモジュール１０１と同様の構成を有する。また、ＷＤＭ伝送装置１と同様の物理層デバイス２１０および２１１と、ローカルポート２０６および２０７が設けられている。さらに、ＷＤＭ伝送装置２においても同様に、制御部２１２、リンクテストボタン２１３およびインジケータであるＬＥＤ２１４が設けられ、制御部２１２は物理層デバイス２１０および２１１を制御するとともに、管理モジュール２０３からの指示に応じて必要な情報（リンク状態、電源状態など）の収集を行い管理モジュール２０３へ返す。
ＷＤＭ伝送装置１に装着された管理モジュール１０４は、ケーブル３０３を通してＷＤＭ伝送装置２の管理モジュール２０３に接続され、さらにネットワークを通してＳＮＭＰマネージャに接続されている。ＳＮＭＰマネージャはネットワークを通してＷＤＭ伝送装置１および２の状態をモニタすることができる。
具体例として、アップリンクモジュール１０１では、受信波長λＲ１１＝１２９０ｎｍ、送信波長λＴ１１＝１３１０ｎｍ、受信波長λＲ１２＝１３３０ｎｍ、送信波長λＴ１２＝１３５０ｎｍである。アップリンクモジュール２０１では、受信波長λＲ１１＝１５１０ｎｍ、送信波長λＴ１１＝１５３０ｎｍ、受信波長λＲ１２＝１５７０ｎｍ、送信波長λＴ１２＝１５５０ｎｍである。また、アップリンクモジュール１０１および２０１は、伝送距離の異なるモジュール（たとえば５０ｋｍ、８０ｋｍ、１２０ｋｍなど）から必要なものを選択することができる。
図３は本実施形態によるＷＤＭ伝送装置を用いた他の接続形態を示す図である。ここでは、４個のＷＤＭ伝送装置１，２，３および４を用い、ＷＤＭ伝送装置１および２は図１に示すように光ケーブル３０２によりカスケード接続され、ＷＤＭ伝送装置３および４も同様にカスケード接続されている。すなわち、ＷＤＭ伝送装置３のスタッキングポート１０３．３とＷＤＭ伝送装置４のＷＤＭポート２０２．４とが光ケーブル３０２．３により接続されている。
また、管理モジュール１０４のＳＮＭＰ用スタッキングポート１０６はＷＤＭ伝送装置２のＳＮＭＰ接続ポート２０４にケーブル３０３を通して接続され、同様に、ＷＤＭ伝送装置３のＳＮＭＰ用スタッキングポート１０６．３はＷＤＭ伝送装置４のＳＮＭＰ接続ポート２０４．４にケーブル３０３．３を通して接続されている。さらに、ＷＤＭ伝送装置３のＳＮＭＰ接続ポート１０５．３はＷＤＭ伝送装置１のＳＮＭＰ用スタッキングポート１０９にケーブル３０５を通して接続されている。
このように接続することで、上述したようにアップリンクモジュール１０１および２０１は１つのアップリンクモジュールとして機能し、同様に、アップリンクモジュール１０１．３および２０１．４も１つのアップリンクモジュールとして機能する。さらに、管理モジュール１０４、２０３、１０４．３および２０３．４もＷＤＭ伝送装置１〜４をそれぞれ管理する管理モジュールとして機能させることができる。したがって、ＳＮＭＰマネージャはネットワークを通してＷＤＭ伝送装置１〜４の状態をモニタすることができる。このように、２個のＧＢＩＣポートを収容するＷＤＭ伝送装置を４個接続することで、８個のＧＢＩＣポートを収容するＷＤＭ伝送装置にアップグレードすることができる。
（リンクテスト機能）
図４Ａに示すＷＤＭ伝送システムでは、本実施形態によるＷＤＭ伝送装置４０１が光ファイバケーブル４０３を通してＷＤＭ伝送装置４０２に接続されている。この例におけるＷＤＭ伝送装置４０１は本実施形態におけるリンクテストボタンを有するものであればよく、図２におけるＷＤＭ伝送装置１およびＷＤＭ伝送装置２のいずれでもよいが、ここではＷＤＭ伝送装置１の構成を有するものとする。
まず、光ファイバケーブル４０３をＷＤＭ伝送装置４０１のＷＤＭポートに取り付けてシステムの接続が完了すると、システム施工者はＷＤＭ伝送装置４０１のリンクテストボタン１１５を押下する。リンクテストボタン１１５が押下されたことを検知すると、制御部１１４は物理層デバイス１１２あるいは１１３を制御してリンクテスト用の所定波長の光信号を生成させる。生成されたテスト信号はアップリンクモジュール１０１のＷＤＭポート１０２から光ファイバケーブル４０３へ送出され、ケーブル４０３が正常である限り相手側のＷＤＭ伝送装置４０２へ到達する。受信されたテスト信号はＷＤＭ伝送装置４０２の物理層デバイスでループバックされて元のＷＤＭ伝送装置４０１に戻ってくる。戻ってきたテスト信号を物理層デバイス１１２で受信すると、制御部１１４はリンクを示すＬＥＤインジケータを点灯させ、施工者にリンクが正常であることを知らせる。こうして、システムが施工された時点でリンクの正常性を確認することができる。
図４Ｂに示すＷＤＭ伝送システムでは、図１及び図２に示すＷＤＭ伝送装置１および２のＷＤＭポートがそれぞれ別個に光ファイバケーブル４０４および４０５に接続され、管理モジュール１０４および２０３がケーブル３０３により接続されている。ＳＮＭＰマネージャ４０７はスイッチ４０６を介してＷＤＭ伝送装置１および２の管理モジュール１０４および２０３を制御し、上述したループバックテストを光ファイバケーブル４０４および４０５を通してそれぞれ実施する。このように、システムが稼働した後、ＳＮＭＰマネージャ４０７によりループバックテストを実施してリンク状態を定期的に監視することができる。
（ミッシングリング機能）
図５Ａにおいて、ＷＤＭ伝送装置４０１のローカルポートＬＰ２とＷＤＭ伝送装置４０２のローカルポートＬＰ３とが通信を行っているとき、ローカルポートＬＰ２の送信ラインが切断したとする。ローカルポートＬＰ２に対応する物理層デバイスＰＨＹは、ローカルポートＬＰ２の送信ラインの切断を検出すると、対応するＷＤＭ送信波長のリンクも切断する。これにより、対応する送信波長の光信号を受信していたＷＤＭ伝送装置４０２の物理層デバイスＰＨＹは、対応するローカルポートＬＰ３の出力をディスエイブルにする。こうして受信側で、送信側のリンク切断発生を知ることができる。
図５Ｂにおいて、ＷＤＭ伝送装置４０１とＷＤＭ伝送装置４０２との間の光ファイバケーブルが切断すると、上述したように、ＷＤＭ伝送装置４０１およびＷＤＭ伝送装置４０２の各ローカルポートに対応する物理層デバイスＰＨＹは、ミッシングリンク機能を起動し、対応するローカルポートの出力をディスエイブルにする。
（ネットワーク接続例）
図６は本発明によるＷＤＭ伝送装置を用いたＷＤＭ伝送ネットワークの一例を示すネットワーク構成図である。ここでは、ＷＤＭ伝送装置６０１〜６０４のうち、ＷＤＭ伝送装置６０１および６０２が共通の管理下におかれており、ＷＤＭ伝送装置６０１のリモートポート（ＲＰ）がＷＤＭ伝送装置６０３のリモートポートに光ファイバケーブルで接続され、ＷＤＭ伝送装置６０２のリモートポート（ＲＰ）がＷＤＭ伝送装置６０４のリモートポートに光ファイバケーブルで接続されている。
ＷＤＭ伝送装置６０１および６０２は、図１及び図２に示すＷＤＭ伝送装置１および２のＷＤＭポートがそれぞれ別個に光ファイバケーブルに接続されたものであり、管理モジュール１０４および２０３はケーブル３０３により接続されている。すなわち、レイヤ３スイッチを介してＷＤＭ伝送装置６０１および６０２の管理モジュールが制御される。
図７は本発明によるＷＤＭ伝送装置を用いたＷＤＭ伝送ネットワークの他の例を示すネットワーク構成図である。ここでは、ＷＤＭ伝送装置７０１〜７０４のうち、ＷＤＭ伝送装置７０１および７０２が図１及び図２に示すＷＤＭ伝送装置１および２と同様にカスケード接続されている。すなわち、ＷＤＭ伝送装置７０２のリモートポートＰＲはＷＤＭ伝送装置７０１のスタッキングポートＳＰに接続され、管理モジュール１０４および２０３がケーブル３０３により接続されてレイヤ３スイッチを介して管理される。また、ＷＤＭ伝送装置７０３は図１及び図２のＷＤＭ伝送装置１と同じ構成を有し、ＷＤＭ伝送装置７０１のリモートポート（ＲＰ）がＷＤＭ伝送装置７０３のリモートポートに光ファイバケーブルで接続されている。さらに、ＷＤＭ伝送装置７０３のスタッキングポート（ＳＰ）がＷＤＭ伝送装置７０４のリモートポートに光ファイバケーブルで接続されている。
このように、本実施形態によるＷＤＭ伝送装置は、リモートポートの他にスタック接続を可能にするスタッキングポートを有することで、別のＷＤＭ伝送装置をカスケード接続することで容易にローカルポート収容数を拡張することができる。さらに、リモートポートとスタッキングポートとをそれぞれ別個のＷＤＭ伝送装置に接続することも可能となり、システム構成の拡張性および柔軟性を大幅に向上させることができる。
【図１】
2005036784.tif 000003
【図２】
2005036784.tif 000004
【図３】
2005036784.tif 000005
2005036784.tif 000006
2005036784.tif 000007
【図６】
2005036784.tif 000008
【図７】
2005036784.tif 000009
【国際調査報告】
2005036784.tif 000010
2005036784.tif 000011
2005036784.tif 000012
2005036784.tif 000013